(57)【要約】【課題】原稿サイズ検知手段を持たなくても、原稿読取の不具合が生じることを抑制することが可能な画像形成装置、スキャナ付画像形成装置及びコピーコントローラを提供する。【解決手段】画像形成装置１は、シート７を収納する収納部Ｔと、シートのサイズ情報を取得する取得部５１と、サイズ情報に基づき原稿の読取幅を決定し、当該読取幅をスキャナユニット５に対して指定する指定部５１と、収納部から搬送されたシートに対し、スキャナユニット５にて読取幅で読み取られた原稿画像データに基づく画像を形成する画像形成部１５と、を備える。【選択図】図８
2010262053.tif 000002
【特許請求の範囲】
【請求項１】
原稿画像を読み取るスキャナユニットに通信可能に接続される画像形成装置であって、
シートを収納する収納部と、
前記収納部に収納されるシートのサイズ情報を取得する取得部と、
前記サイズ情報に基づき原稿の読取幅を決定し、当該読取幅を前記スキャナユニットに対して指定する指定部と、
前記収納部から搬送されたシートに対し、前記スキャナユニットにて前記読取幅で読み取られた原稿画像データに基づく画像を形成する画像形成部と、を備える画像形成装置。
【請求項２】
請求項１に記載の画像形成装置であって、
前記収納部は複数備えられ、
前記読取幅に基づき、前記複数の収納部の中から、前記画像形成部により画像形成をすべきシートを収納する収納部を選択する選択部を備える、画像形成装置。
【請求項３】
請求項１または請求項２に記載の画像形成装置であって、
前記収納部は複数備えられ、
前記スキャナユニットで読み取られた原稿画像のライン数に基づき、前記複数の収納部の中から、前記画像形成部により画像形成をすべきシートを収納する収納部を選択する選択部を備える、画像形成装置。
【請求項４】
請求項１から請求項３のいずれか一項に記載の画像形成装置であって、
前記収納部を複数備え、
ユーザにより指定された収納部の指定情報を受け付ける収納部指定受付部を備え、
前記指定部は、前記収納部の指定情報に制限されずに前記読取幅を決定する自動モードと、前記収納部の指定情報により指定された収納部のサイズ情報に基づき前記読取幅を決定する手動モードとを実行可能である、画像形成装置。
【請求項５】
請求項１から請求項４のいずれか一項に記載の画像形成装置であって、
前記収納部は、複数備えられ、
前記取得部は、前記複数の収納部の各々に対するサイズ情報を取得し、
前記サイズ情報に基づきユーザにより指定されたシート幅の指定情報を受け付けるシート幅指定受付部を備え、
前記指定部は、前記シート幅の指定情報に基づき前記読取幅を決定する幅限定有りモードを実行可能である、画像形成装置。
【請求項６】
請求項５に記載の画像形成装置であって、
前記指定部は、前記シート幅の指定情報に制限されずに前記読取幅を決定する幅限定無しモードを実行可能である、画像形成装置。
【請求項７】
請求項１から請求項６のいずれか一項に記載の画像形成装置であって、
前記収納部は、複数備えられ、
前記取得部は、前記複数の収納部の各々に対するサイズ情報を取得し、
前記指定部は、最も多くの収納部で一致するシート幅、前記複数の収納部の優先順位、及び、前記複数の収納部の中における最大シート幅のうち少なくとも一方に基づき前記原稿幅を決定する、画像形成装置。
【請求項８】
請求項１から請求項７のいずれか一項に記載の画像形成装置であって、
前記原稿画像データに基づき前記画像形成部によるシートへの画像形成を実行するコピーモードと、当該画像形成を実行しない非コピーモードとを実行可能であり、
前記指定部は、前記読取幅の決定処理を、前記コピーモードの実行時に行い、前記非コピーモードの実行時には行わない、画像形成装置。
【請求項９】
原稿画像を読み取るスキャナユニットと、
シートを収納する収納部と、
前記収納部に収納されるシートのサイズ情報を取得する取得部と、
前記サイズ情報に基づき原稿の読取幅を決定し、当該読取幅を前記スキャナユニットに対して指定する指定部と、
前記収納部から搬送されたシートに対し、前記スキャナユニットにて前記読取幅で読み取られた原稿画像データに基づく画像を形成する画像形成部と、を備えるスキャナ付き画像形成装置。
【請求項１０】
原稿画像を読み取るスキャナユニットと、シートを収納する収納部を有し前記スキャナユニットからの原稿画像データに基づきシートに画像を形成する画像形成装置とに通信可能に接続されるコピーコントローラであって、
前記収納部に収納されるシートのサイズ情報を取得する取得部と、
前記サイズ情報に基づき原稿の読取幅を決定し、当該読取幅を前記スキャナユニットに対して指定する指定部と、を備える、コピーコントローラ。
【発明の詳細な説明】
【技術分野】
【０００１】
本発明は、画像形成装置、スキャナ付画像形成装置及びコピーコントローラに関する。
【背景技術】
【０００２】
従来より、スキャナを備える画像形成装置において、原稿サイズ検知手段を持たずに原稿画像の読み取りを行うものがある（特許文献１参照）。具体的には、この画像形成装置は、スキャナにより原稿の画像を読み取る際に、実際に読み取ったライン数から原稿サイズを推定し、その推定した原稿サイズから主走査方向の画素数を確定する。そして、この画像形成装置は、種々のサイズの用紙を収納する複数の給紙カセットを備えており、上記原稿サイズ及び主走査方向画素数により最適な給紙カセットを選択する構成になっている。
【先行技術文献】
【特許文献】
【０００３】
【特許文献１】特開２００７−１８７７３５号公報
【発明の概要】
【発明が解決しようとする課題】
【０００４】
しかし、上記従来の画像形成装置は、画像読取前においては原稿サイズを推定できないため、予め設定された固定の読取幅で原稿を読み取らざるを得ない。従って、その読取幅の設定値によっては原稿サイズを超えた不要な範囲まで余分な画像を読み取ってしまったり、原稿の一部の画像を読み取れなかったりするといった不具合が生じる。
【０００５】
本発明は上記のような事情に基づいて完成されたものであって、その目的は、原稿サイズ検知手段を持たなくても、原稿読取の不具合が生じることを抑制することが可能な画像形成装置、スキャナ付画像形成装置及びコピーコントローラを提供するところにある。
【課題を解決するための手段】
【０００６】
上記の目的を達成するための手段として、第１の発明に係る画像形成装置は、原稿画像を読み取るスキャナユニットに通信可能に接続される画像形成装置であって、シートを収納する収納部と、前記収納部に収納されるシートのサイズ情報を取得する取得部と、前記サイズ情報に基づき原稿の読取幅を決定し、当該読取幅を前記スキャナユニットに対して指定する指定部と、前記収納部から搬送されたシートに対し、前記スキャナユニットにて前記読取幅で読み取られた原稿画像データに基づく画像を形成する画像形成部と、を備える。
【０００７】
この発明によれば、収納部に収納されるシートのサイズ情報に基づきスキャナユニットにおける原稿の読取幅を決定する。原稿の画像は最終的には収納部からのシートに形成されるのであるから、原稿サイズは、収納部に収納されたシートのサイズに対応（比例）していることが多い。このため、決定された上記読取幅をスキャナユニットに指定することにより、当該スキャナユニットにて余分な画像読み取りや原稿画像欠けといった不具合を抑制しつつ原稿を読み取ることができる。
【０００８】
第２の発明は、第１の発明の画像形成装置であって、前記収納部は複数備えられ、前記読取幅に基づき、前記複数の収納部の中から、前記画像形成部により画像形成をすべきシートを収納する収納部を選択する選択部を備える。
この発明によれば、原稿に適したシートを収納する収納部を自動で選択することができる。
【０００９】
第３の発明は、第１または第２の発明の画像形成装置であって、前記収納部は複数備えられ、前記スキャナユニットで読み取られた原稿画像のライン数に基づき、前記複数の収納部の中から、前記画像形成部により画像形成をすべきシートを収納する収納部を選択する選択部を備える。
この発明によれば、各収納部に収納されたシートの長さが異なる場合であっても、原稿に適したシートを収納する収納部を自動で選択することができる。
【００１０】
第４の発明は、第１から第３のいずれか一つの発明の画像形成装置であって、前記収納部を複数備え、ユーザにより指定された収納部の指定情報を受け付ける収納部指定受付部を備え、前記指定部は、前記収納部の指定情報に制限されずに前記読取幅を決定する自動モードと、前記収納部の指定情報により指定された収納部のサイズ情報に基づき前記読取幅を決定する手動モードとを実行可能である。
【００１１】
この発明によれば、種々の状況に応じて自動モードと手動モードとを選択的に実行することができる。
【００１２】
第５の発明は、第１から第４のいずれか一つの発明の画像形成装置であって、前記収納部は、複数備えられ、前記取得部は、前記複数の収納部の各々に対するサイズ情報を取得し、前記サイズ情報に基づきユーザにより指定されたシート幅の指定情報を受け付けるシート幅指定受付部を備え、前記指定部は、前記シート幅の指定情報に基づき前記読取幅を決定する幅限定有りモードとを実行可能である。
【００１３】
この発明によれば、異なる幅のシートが各々複数種類収納されている場合であっても、適確な読取幅によるによる読み取りを実行し、原稿長により適切なシートを自動で選択することができる。
【００１４】
第６の発明は、第５の発明の画像形成装置であって、前記指定部は、前記シート幅の指定情報に制限されずに前記読取幅を決定する幅限定無しモードを実行可能である。
この発明によれば、種々の状況に応じてシート幅限定有りモードとシート幅限定無しモードとを選択的に実行することができる。
【００１５】
第７の発明は、第１から第６のいずれか一つの発明の画像形成装置であって、前記収納部は、複数備えられ、前記取得部は、前記複数の収納部の各々に対するサイズ情報を取得し、前記指定部は、最も多くの収納部で一致するシート幅、前記複数の収納部の優先順位、及び、前記複数の収納部の中における最大シート幅のうち少なくとも一方に基づき前記原稿幅を決定する。
この発明によれば、より適した原稿幅を決定することができる。
【００１６】
第８の発明は、第１から第７のいずれか一つの発明の画像形成装置であって、前記原稿画像データに基づき前記画像形成部によるシートへの画像形成を実行するコピーモードと、当該画像形成を実行しない非コピーモードとを実行可能であり、前記指定部は、前記読取幅の決定処理を、前記コピーモードの実行時に行い、前記非コピーモードの実行時には行わない。
【００１７】
この発明によれば、特に予め読取幅が指定されないことが多いコピーモードにおいて決定処理を行うようにすることで、不要な決定処理を抑制することができる。
【００１８】
第９の発明に係るスキャナ付き画像形成装置は、原稿画像を読み取るスキャナユニットと、シートを収納する収納部と、前記収納部に収納されるシートのサイズ情報を取得する取得部と、前記サイズ情報に基づき原稿の読取幅を決定し、当該読取幅を前記スキャナユニットに対して指定する指定部と、前記収納部から搬送されたシートに対し、前記スキャナユニットにて前記読取幅で読み取られた原稿画像データに基づく画像を形成する画像形成部と、を備える。
【００１９】
第１０の発明に係るコピーコントローラは、原稿画像を読み取るスキャナユニットと、シートを収納する収納部を有し前記スキャナユニットからの原稿画像データに基づきシートに画像を形成する画像形成装置とに通信可能に接続されるコピーコントローラであって、前記収納部に収納されるシートのサイズ情報を取得する取得部と、前記サイズ情報に基づき原稿の読取幅を決定し、当該読取幅を前記スキャナユニットに対して指定する指定部と、を備える。
【発明の効果】
【００２０】
本発明によれば、原稿サイズ検知手段を持たなくても、原稿読取の不具合が生じることを抑制することができる。
【図面の簡単な説明】
【００２１】
【図１】本発明の一実施形態に係る複合機の内部構成を示す概要図
【図２】複合機の電気的構成を示すブロック図
【図３Ａ】第１例のトレイ設定テーブルの内容を示す説明図
【図３Ｂ】第１例のシート幅テーブルの内容を示す説明図
【図４Ａ】第２例のトレイ設定テーブルの内容を示す説明図
【図４Ｂ】第２例のシート幅テーブルの内容を示す説明図
【図５】第１例におけるトレイ選択画面を示す簡略図
【図６】第２例におけるトレイ選択画面を示す簡略図
【図７】原稿読取処理を示すフローチャート
【図８】読取幅決定処理を示すフローチャート
【図９】画像形成処理を示すフローチャート
【発明を実施するための形態】
【００２２】
本発明の一実施形態について図を参照しつつ説明する。
（複合機の内部構成）
図１は、複合機１（スキャナ付画像形成装置の一例）の内部構成を示す概要図である。複合機１は、画像形成装置本体３（画像形成装置の一例）とスキャナユニット５とが有線または無線によって通信可能に接続された構成になっている。
【００２３】
（１）画像形成装置本体
画像形成装置本体３の底部には、被画像形成用のシート７（例えば用紙など）が収納される複数（例えば４台）のトレイＴ（収納部の一例）が設けられている。以下、上の段から順に第１トレイＴ１、第２トレイＴ２、第３トレイＴ３、第４トレイＴ４という。
【００２４】
トレイＴに収納されたシート７は、ピックアップローラ９によって１枚ずつ取り出されてレジストレーションローラ１１へと搬送される。搬送されてきたシート７は、レジストレーションローラ１１により姿勢が整えられつつ所定のタイミングで搬送ベルト１３上に送り出される。送り出されたシート７は、搬送ベルト１３によって搬送されつつ、画像形成部１５により、例えばスキャナユニット５により読み取られた原稿画像データに基づく画像（モノクロ画像、カラー画像）が形成される。
【００２５】
画像が形成されたシート７は、定着器１７の加熱ローラ１９及び押圧ローラ２１の間に挟まれつつ熱定着され、排出トレイ２３上へと排出される。また、各トレイＴには検知センサ２５が設けられており、各検知センサ２５は、それに対応するトレイＴに収納されたシート７のサイズに応じた検知信号を出力する。ここでいうシート７のサイズとは、幅（シート７の搬送方向に直交する方向の寸法）及び長さ（シート７の搬送方向の寸法）をいう。
【００２６】
なお、シート７のサイズの検知方法の一例は次の通りである。例えばトレイＴには、ガイド板（図示せず）がシート７の幅（長さ）方向に移動可能に設けられており、上記検知センサ２５は、このガイド板の位置に応じた検知信号を出力する。トレイＴにあるサイズのシート７を配置し、そのシート７に当接する位置までガイド板を移動させる。これにより、検知センサ２５から出力される検知信号に基づきトレイＴに収納されたシート７のサイズを把握することができる。
【００２７】
（２）スキャナユニット
スキャナユニット５は、原稿３１の画像（原稿画像）を読み取り、原稿画像データを出力するものであり、排出トレイ２３の上方に設けられている。このスキャナユニット５は、原稿台３３上に開閉可能に設けられた原稿カバー３５が設けられ、この原稿カバー３５には、原稿トレイ３７及び送り機構３９が設けられている。
【００２８】
なお、スキャナユニット５により原稿画像を読み取る方法として、原稿載置読み取りと原稿送り読み取りとが可能である。原稿載置読み取りの場合、ユーザは、原稿３１を原稿台３３上に配置して原稿カバー３５を閉じ、原稿読み取りを指示すると、スキャナヘッド４１が移動しつつ原稿３１の原稿画像を読み取って原稿画像データを生成し、画像形成装置本体３に送信する。原稿送り読み取りの場合、ユーザは、原稿３１を原稿トレイ３７にセットし、原稿読み取りを指示すると、送り機構３９により原稿３１がスキャナヘッド４１の読取領域内に１頁ずつ搬送され、その後、原稿排出トレイ４３に排出される。スキャナヘッド４１は搬送中の原稿３１から原稿画像を読み取って原稿画像データを生成し、画像形成装置本体３に送信する。
【００２９】
ここで、本実施形態のスキャナユニット５は、原稿トレイ３７にセットされた原稿３１の幅（原稿３１の搬送方向に直交する方向の寸法）を独自に検知する手段を備えていない。このため、スキャナユニット５自身が原稿３１の読取幅（上記スキャナヘッド４１にて画像読取を有効化すべき幅）を決定することはできず、外部から読取幅を指定してもらう必要がある。本実施形態では、後述するように画像形成装置本体が、その読取幅を指定する構成になっている。
【００３０】
（複合機の電気的構成）
図２は、複合機１の電気的構成を示すブロック図である。複合機１は、ＣＰＵ５１（取得部、指定部、選択部、収納部指定受付部、シート幅指定受付部の一例）、ＲＯＭ５３、ＲＡＭ５５、ＮＶＲＡＭ５７（不揮発性メモリ）、操作部５９、表示部６１、画像形成部１５、スキャナユニット５、検知センサ２５、ネットワークインターフェイス６３、ファクシミリインターフェース６５を備える。
【００３１】
ＲＯＭ５３には、後述するコピー処理など、この複合機１の各種の動作を実行するためのプログラムが記憶されており、ＣＰＵ５１は、ＲＯＭ５３から読み出したプログラムに従って、その処理結果を内部メモリ（ＲＡＭ５５またはＮＶＲＡＭ５７）に記憶させながら各部の制御を行う。
【００３２】
操作部５９は、複数のボタンを備え、ユーザにより各種の入力操作が可能である。表示部６１は、液晶ディスプレイやランプ等を備え、各種の設定画面や装置の動作状態等を表示することが可能である。ネットワークインターフェイス６３は、ネットワーク回線を介して外部のコンピュータ（図示せず）等に接続され、これにより相互のデータ通信が可能となっている。ファクシミリインターフェース６５は、公衆電話網を介して、ファクシミリ機能を有する他の外部機器（図示せず）に接続され、これにより相互のファクシミリ通信が可能となっている。
【００３３】
（トレイとサイズ情報）
図３Ａ、３Ｂは、トレイ設定テーブル及びシート幅テーブルの第１例であり、図４Ａ，４Ｂは、トレイ設定テーブル及びシート幅テーブルの第２例である。第１例は、第１トレイＴ１及び第２トレイＴ２にレターサイズのシート７が収納され、第３トレイＴ３及び第４トレイＴ４にリーガルサイズのシート７が収納された場合である。第２例は、第１トレイＴ１にレターサイズのシート７が収納され、第２トレイＴ２にリーガルサイズのシート７が収納され、第３トレイＴ３に定形Ａ４サイズのシート７が収納され、第４トレイＴ４に定形Ａ５サイズのシート７が横向きに収納されている。なお、ここでいう「横向き」とはシート７の短手方向が搬送方向に沿った収納方向をいう。
【００３４】
各トレイＴにシート７をセットし、複合機１の電源をオンすると、ＣＰＵ５１は、上述した各検知センサ２５からの検知信号を受けて、各トレイＴに収納されているシート７のサイズ情報を取得する。このときＣＰＵ５１は「取得部」として機能する。
【００３５】
ＣＰＵ５１は、上記サイズ情報を取得すると、トレイ設定テーブルを生成して内部メモリに格納する。このトレイ設定テーブルには、各トレイＴとサイズ情報及びシート幅との対応関係を示す情報が含まれている（図３Ａ、図４Ａ参照）。次に、ＣＰＵ５１は、トレイ設定テーブルを参照して４つのトレイＴをシート幅ごとにグループ分けをしてシート幅テーブルを生成して内部メモリに格納する。このシート幅テーブルには、グループとトレイＴ及びシート幅との対応関係を示す情報が含まれる（図３Ｂ、図４Ｂ）。
【００３６】
第１例では、トレイＴ間でシート幅が一致するため、全てのトレイＴがグループ１に属している。第２例ではトレイＴ間でシート幅が一致しないため、第１トレイＴ１及び第２トレイＴ２がグループ１に属し、第３トレイＴ３及び第４トレイＴ４がグループ２に属している。なお、例えばユーザがあるトレイＴに収納されるシート７のサイズや収納方向を変更し、その結果、シート幅が変った場合には、ＣＰＵ５１は、その新たなシート幅に基づきトレイ設定テーブルの内容を更新し、それに連動してシート幅テーブルの内容も更新する。
【００３７】
また、内部メモリには、4台のトレイの優先順位を示す優先順位テーブルが格納されている。ＣＰＵ５１は、例えばユーザによる操作部５９での入力操作に基づき優先順位テーブルを生成または更新する。また、例えば各トレイＴの使用頻度に応じて優先順位を随時更新してもよい。例えば使用頻度が高いほど優先順位を高くするのである。
【００３８】
（コピー処理）
次にＣＰＵ５１によって実行されるコピー処理について説明する。
（１）コピーモード選択
複合機１は、「コピーモード」、「ファクシミリモード」、「ＰＣ印刷モード」、「ネットワーク送信モード」等を実行することが可能である。コピーモードは、スキャナユニット５によって読み取った原稿画像をシート７に複写するものであり、ファクシミリモードは、上記外部機器とファクシミリデータのやり取りを行うものである。ＰＣ印刷モードは、上記外部のコンピュータから受信した印刷データに基づきシート７に画像を形成するものであり、ネットワーク送信モードは、スキャナユニット５によって生成した原稿画像データを、ネットワーク回線を介して外部機器に送信するものである。なお、このネットワーク送信モードは、原稿画像データをメール等に添付して外部機器に送信するものであってもよい。ユーザは操作部５９での操作により上記複数のモードからいずれかを選択して実行指示をすることができる。
【００３９】
ＣＰＵ５１は、上記複数のモードのうちコピーモードが選択された場合にのみ次に示すコピー処理を実行し、コピーモード以外もモード（非コピーモードが選択された場合にはコピー処理を実行しない。
【００４０】
（２）トレイ選択
図５は第１例におけるトレイ選択画面を示す簡略図であり、図６は第２例におけるトレイ選択画面を示す簡略図である。ＣＰＵ５１は、コピーモードが選択されると、各種の設定画面の１つとしてトレイ選択画面を表示部６１に表示させる。トレイ選択画面では、「幅限定無しモード」、「幅限定有りモード」、「ユーザ指定モード」の中から選択可能になっている。このときＣＰＵ５１は「収納部指定受付部、シート幅指定受付部」として機能する。なお、これらのモード指定は、例えば上記外部のコンピュータにて行われ、その指定情報をＣＰＵ５１が受け付ける構成であってもよい。
【００４１】
幅限定無しモードは、ユーザによるシート幅の選択に限定されずに読取幅を決定するものであり、トレイ選択画面上の「幅限定無しモード」ボタンを指定することにより選択することができる。幅限定有りモードは、ユーザが選択したシート幅（グループ）に基づき読取幅を決定するものであり、トレイ選択画面上の「グループ」ボタンを指定することにより選択することができる。幅指定無しモードは、原稿幅が一定で原稿長さのみ異なる複数枚の原稿３１を原稿トレイ３７に混載してコピーを実行する場合に、好適に利用可能なモードである。ユーザ指定モードは、ユーザが選択したトレイに対応するシート幅に基づき読取幅を決定するものであり、トレイ選択画面上の「トレイ」ボタンを指定することにより選択することができる。なお、図５，６では、黒く塗りつぶされたボタンのモードが現在選択されているモードを意味し、本実施形態では幅限定無しモードがデフォルトとして選択されている。
【００４２】
（３）原稿読取処理及び読取幅決定処理
図７は原稿読取処理を示すフローチャートであり、図８は読取幅決定処理を示すフローチャートである。ユーザが、トレイ選択画面にていずれかのモードを選択し、コピーモードの実行確定操作をすると、ＣＰＵ５１は、原稿読取処理を実行する。このときＣＰＵ５１は「指定部」として機能する。
【００４３】
まず読取幅決定処理を実行する（Ｓ１０１）。読取幅決定処理では、上記トレイ選択画面にて幅限定無しモード、幅限定有りモード、ユーザ指定モードのいずれが選択されたかによって処理内容が異なる。以下、それぞれ選択された場合を個別に説明する。
【００４４】
（３−１）幅限定無しモードが選択されている場合
幅限定無しモードが選択されている場合（Ｓ２０１：ＹＥＳ）、ＣＰＵ５１は、上記シート幅テーブルを参照してトレイＴの上記グループが複数有るか否かを判断する（Ｓ２０３）。そして、グループが１つしかない場合（第１例の場合）には（Ｓ２０３：ＮＯ）、その１つのグループに対応するシート幅に基づき読取幅（例えば当該シート幅と略同一）を決定する（Ｓ２０５）。
【００４５】
具体的には、シート幅と、コピーモード実行指示時に指定された読取倍率とに基づき読取幅を決定する。例えば第１例で、読取倍率が１倍であれば、第１グループのシート幅（８．５inch）を読取幅として決定する。また、読取倍率が２倍であればシート幅の略半分の幅を読取幅（要するに、シート幅を読取倍率で除算した値）として決定する。そして、本読取幅決定処理を終了し、図７のＳ１０３に進む。
【００４６】
一方、グループが複数有る場合（第２例の場合）には（Ｓ２０３：ＹＥＳ）、例えば表示部に指定方式選択画面（図示せず）を表示させる。指定方式選択画面では、ユーザの操作部５９での操作により「多数決指定」「優先順位指定」「指定なし」のいずれかの指定方式を選択することができる。なお、上記トレイ選択時において予め、ユーザが指定方式を選択しておく構成であってもよい。
【００４７】
多数決指定とは、最も多くのトレイＴで一致するシート幅、換言すれば最も多くのトレイＴが属するグループ（以下、最大グループという）に対応するシート幅に基づき、読取幅を決定する方式である。この多数決指定が選択されている場合には（Ｓ２０７：ＹＥＳ）、シート幅テーブルを参照して多数決が可能か否かを判断する（Ｓ２０９）。
【００４８】
複数のグループの中から最大グループを１つだけ特定できる場合には、多数決可能であると判断し（Ｓ２０９：ＹＥＳ）、その最大グループに対応するシート幅に基づき読取幅を決定し（Ｓ２１１）、本読取幅決定処理を終了し、図７のＳ１０３に進む。このように読取幅を決定すれば、シート７に形成した原稿画像が欠ける可能性を低くすることができる。
【００４９】
これに対し、最大グループを１つだけ特定することができない場合には、多数決不能であると判断し（Ｓ２０９：ＮＯ）、後述する指定なしを指定した場合と同じ処理を行う（Ｓ２１３）。例えば第２例では、第１グループと第２グループとでそれぞれに属するトレイＴの数が同じなので、多数決不能であると判断する。なお、多数決不能の場合に、次述する優先順位指定に移行する構成であってもよい。
【００５０】
優先順位指定が選択されている場合には（Ｓ２０７：ＮＯ、且つ、Ｓ２１５：ＹＥＳ）、上記優先順位テーブルを参照して最上位のトレイＴに対応するシート幅に基づき、読取幅を決定する（Ｓ２１７）。そして、本読取幅決定処理を終了し、図７のＳ１０３に進む。
【００５１】
指定なしが選択されている場合には（Ｓ２０７：ＮＯ、且つ、Ｓ２１５：ＮＯ）、上記優先順位テーブルを参照して、トレイＴに対応する全てのシート幅の中で最大のシート幅（以下、最大シート幅という）を抽出し、その最大シート幅に基づき読取幅を決定する（Ｓ２１３）。そして、本読取幅決定処理を終了し、図７のＳ１０３に進む。このように最大シート幅に基づき読取幅を決定しておけば、少なくとも、シート７に形成された原稿画像が読取時などに欠けるといった問題を抑制することができる。
【００５２】
（３−２）幅限定有りモードが選択されている場合
幅限定有りモードが選択されている場合（Ｓ２０１：ＮＯ、且つ、Ｓ２１９：ＹＥＳ）、ＣＰＵ５１は、シート幅テーブルを参照して、上記トレイ選択画面で選択されたグループに対応するシート幅に基づき読取幅を決定する（Ｓ２２１）。そして、本読取幅決定処理を終了し、図７のＳ１０３に進む。
【００５３】
（３−３）ユーザ指定モードが選択されている場合
ユーザ指定モードが選択されている場合（Ｓ２０１：ＮＯ、且つ、Ｓ２１９：ＮＯ）、ＣＰＵ５１は、トレイ設定テーブルを参照して、上記トレイ選択画面で選択されたトレイＴに対応するシート幅に基づき読取幅を決定する（Ｓ２２３）。そして、本読取幅決定処理を終了し、図７のＳ１０３に進む。
【００５４】
図７のＳ１０３では、ＣＰＵ５１は、上記読取幅決定処理にて決定した読取幅をスキャナユニット５に対して指定する。これにより、スキャナユニット５は、原稿読取が可能となる。ＣＰＵ５１は、内部メモリに所定量以上の空き容量があれば（Ｓ１０５：ＹＥＳ）、スキャナユニット５に原稿読取を指示する（Ｓ１０７）。すると、スキャナユニット５は、指定された読取幅の範囲内で原稿画像を読み取って原稿画像データを生成し、画像形成装置本体３に送信する。
【００５５】
そして、ＣＰＵ５１は、原稿画像データを受信し、上記読取幅及び読取ライン数と共に内部メモリに一時格納する（Ｓ１０９）。なお、スキャナユニット５が画像読取処理において実際に読み取ったライン数を画像形成装置本体３に送信し、ＣＰＵ５１がその送信されたライン数を読取ライン数として取得する。また、読取幅については、ＣＰＵ５１が、選択されたグループやトレイＴのサイズ情報から求めてもよい。
【００５６】
そして、例えば原稿送り読み取りにおいて次頁の原稿が有れば（Ｓ１１１：ＹＥＳ）、Ｓ１０５に戻り、次の頁の原稿についてＳ１０５〜Ｓ１０９までの処理を繰り返す。一方、次の頁の原稿が無ければ（Ｓ１１１：ＮＯ）、最後に受信した原稿画像データに最終頁フラグを付加して（Ｓ１１３）、本原稿読取処理を終了する。
【００５７】
（４）画像形成処理
図９は画像形成処理を示すフローチャートである。ＣＰＵ５１は、内部メモリ内に原稿画像データが格納すると（Ｓ３０１：ＹＥＳ）、上記読取幅及び読取ライン数に基づく画像サイズ（原稿画像に読取倍率を乗じたサイズ）を求める。そして、トレイ設定テーブルを参照し、当該画像サイズに適したシート７（換言すれば、画像サイズに近いサイズのシート７）を収納するトレイＴ（適切なトレイＴ）を選択する（Ｓ３０３）。このときＣＰＵ５１は「選択部」として機能する。なお、ＣＰＵ５１は、読取ライン数のみからトレイＴを選択しても良い。
【００５８】
ここで、適切なトレイＴが１つであれば（Ｓ３０５：ＮＯ）、その１つのトレイＴを選択してＳ３０９に進む。但し、例えば第１例のように、同一サイズのシートを収納したトレイＴが複数存在する場合には（Ｓ３０５：ＹＥＳ）、上記優先順位テーブルを参照して複数の適切なトレイＴの中から順位が上位のトレイＴを選択しＳ３０９に進む。
【００５９】
そして、ＣＰＵ５１は、画像形成部１５に指示して原稿画像データに基づきシート７への画像形成を実行させ（Ｓ３０９）、その後、当該原稿画像データを内部メモリから消去する（Ｓ３１１）。そして、直前に画像形成処理をした原稿画像データに最終頁フラグが付加されていなければ（Ｓ３１３：ＮＯ）、Ｓ３０１に戻り、最終頁フラグが付加されていれば（Ｓ３１３：ＹＥＳ）、本画像形成処理を終了する。
【００６０】
（本実施形態の効果）
本実施形態によれば、トレイＴに収納されるシート７のサイズ情報に基づきスキャナユニット５における原稿３１の読取幅を決定する。原稿３１の画像は最終的にはトレイＴからのシート７に形成されるのであるから、原稿サイズは、トレイＴに収納されたシート７のサイズに対応（比例）していることが多い。このため、決定された上記読取幅をスキャナユニット５に指定することにより、当該スキャナユニット５にて余分な画像読み取りや原稿画像欠けといった不具合を抑制しつつ原稿３１を読み取ることができる。
【００６１】
また、読取幅、及び、読取ライン数に基づき適切なトレイＴを自動で選択することができる。しかも読取ライン数をも加味するので、例えば原稿トレイ３７上にレターサイズとリーガルサイズの原稿３１を混載して原稿送り読み取りを実行しても、それぞれの原稿画像に対して適切なトレイＴを個別に自動選択することが可能である。
【００６２】
また、種々の状況に応じて自動モード（幅限定無しモード、幅限定有りモード）と手動モード（ユーザ指定モード）とを選択的に実行することができる。
【００６３】
また、本実施形態では、読取幅決定処理を、コピーモードの実行時に行い、非コピーモードの実行時には行わない。これにより、特に予め読取幅が指定されないことが多いコピーモードにおいて決定処理を行うようにすることで、不要な決定処理を抑制することができる。
【００６４】
＜他の実施形態＞
本発明は上記記述及び図面によって説明した実施形態に限定されるものではなく、例えば次のような種々の態様も本発明の技術的範囲に含まれる。特に、各実施形態の構成要素のうち、最上位の発明の構成要素以外の構成要素は、付加的な要素なので適宜省略可能である。
（１）上記実施形態では、複数のトレイＴを備える画像形成装置本体を例に挙げたが、本発明はこれに限られない。例えばトレイを１つだけ備えるものであっても、そのトレイに収納されるシートのサイズ情報に基づき読取幅を決定することが可能である。
【００６５】
（２）また、本発明の「収納部」は上記実施形態のトレイＴに限られない。例えば画像形成装置に備えられた手差しトレイ等であってもよい。
【００６６】
（３）上記実施形態では、ＣＰＵ５１が検知センサ２５からの検知信号ＳＧに基づき各トレイＴのシートのサイズ情報を取得したが、本発明の「取得部」はこれに限られない。ユーザに各トレイについて収納するシートの幅を入力させ、その入力されたサイズ情報を取得してもよい。この場合、画像形成装置本体３は検知センサ２５を備えていなくてもよい。
【００６７】
（４）例えばスキャナユニット１５と、トレイを有しスキャナユニット５からの原稿画像データに基づきシート７に画像を形成する画像形成装置とに通信可能に接続されるコピーコントローラであってもよい。このコピーコントローラは、トレイに収納されるシート７のサイズ情報を取得する取得処理と、上記読取幅決定処理と、当該読取幅をスキャナユニット５に対して指定する指定処理と、実行する。
【符号の説明】
【００６８】
１...複合機（スキャナ付画像形成装置）
３...画像形成装置本体（画像形成装置）
５...スキャナユニット
７...シート
１５...画像形成部
５１...ＣＰＵ（取得部、指定部、選択部、収納部指定受付部、シート幅指定受付部）
Ｔ...トレイ（収納部）
【図１】
2010262053.tif 000003
【図２】
2010262053.tif 000004
【図３Ａ】
2010262053.tif 000005
【図３Ｂ】
2010262053.tif 000006
【図４Ａ】
2010262053.tif 000007
【図４Ｂ】
2010262053.tif 000008
【図５】
2010262053.tif 000009
【図６】
2010262053.tif 000010
【図７】
2010262053.tif 000011
【図８】
2010262053.tif 000012
【図９】
2010262053.tif 000013